(57)【特許請求の範囲】
【請求項１】
近距離無線通信手段と、制御手段とを備え、リクエスト信号を待ち行列に登録して演奏順番を管理するカラオケ装置であって、
近距離無線通信手段は、当該カラオケ装置の利用場所を対象とするサービスエリアにおいて、パーソナル携帯情報端末と双方向データ通信を可能とし、
制御手段は、予約受付処理と、第１処理〜第３処理からなる不在処理を可能とし、
予約受付処理は、パーソナル携帯情報端末より楽曲識別子と端末識別子を含むリクエスト信号を受信して待ち行列に登録し、
第１処理は、待ち行列におけるリクエスト信号の登録順位と、演奏進行状態とに基づいて、リクエスト信号の確認時期を検出し、
第２処理は、確認時期となったリクエスト信号の端末識別子を持つパーソナル携帯情報端末に対して通信の確立を試行し、
第３処理は、第２処理で通信の確立ができなかった場合、待ち行列におけるリクエスト信号の登録順位を繰り下げる
カラオケ装置。
【請求項２】
制御手段は、不在計数処理と、登録抹消処理とを可能とし、
不在計数処理は、不在処理において通信の確立できなかった不在回数をリクエスト信号毎に計数し、
登録抹消処理は、規定の不在回数に達したリクエスト信号を待ち行列から削除する
請求項１に記載のカラオケ装置。
【請求項３】
第３処理は、登録順位繰り下げの予告表示を行い、登録順位繰り下げの取消を受け付け可能とする
請求項１または２に記載のカラオケ装置。
【請求項４】
登録抹消処理は、登録抹消の予告表示を行い、登録抹消の取消を受け付け可能とする
請求項２または３に記載のカラオケ装置。
【請求項５】
制御手段は、第４処理、第５処理からなる予告処理を可能とし、
第４処理は、待ち行列におけるリクエスト信号の登録順位と、演奏進行状態とに基づいてリクエスト信号の予告時期を検出し、
第５処理は、予告時期となったリクエスト信号の端末識別子を持つパーソナル携帯情報端末に対して通信の確立を試行させ、通信の確立ができた場合、演奏時期が近づいたことを通知するメッセージを当該パーソナル携帯情報端末に送信する
請求項１〜４のいずれかに記載のカラオケ装置。
【請求項６】
インターネットに電子メールを送信する電子メール送信手段を備え、
端末識別子は、該当のパーソナル携帯情報端末の電子メールアドレスを含み、
制御手段は、第４処理、第５処理からなる予告処理を可能とし、
第４処理は、待ち行列におけるリクエスト信号の登録順位と、演奏進行状態とに基づいてリクエスト信号の予告時期を検出し、
第５処理は、予告時期となったリクエスト信号の端末識別子を持つパーソナル携帯情報端末に対し、演奏時期が近づいたことを通知する電子メールを作成・送信する
請求項１〜４のいずれかに記載のカラオケ装置。
【発明の詳細な説明】
【０００１】
【発明が属する技術分野】
この発明は、携帯電話機などのパーソナル携帯情報端末を利用ツールとして活用するカラオケ装置に関し、とくに、演奏前に楽曲を予約したパーソナル携帯情報端末の存在を確認する装置に関する。
【０００２】
【従来の技術】
ＩｒＤＡやブルートゥース（ＢｌｕｅＴｏｏｔｈ）などの近距離無線通信機能を搭載した携帯電話機をカラオケ装置のリモコン送信器として利用する技術が知られている（たとえば、特開２０００−１４８１６９号公報参照）。これは、カラオケ店には携帯電話機の所持率が高い顧客が数多く来店することに着目して考案された技術であり、これにより、カラオケがより一層利用しやすくなりカラオケの興行的な振興を図ることができた。
【０００３】
【発明が解決しようとする課題】
上記のように利用者が個々にリモコン送信器相当を持つことになると、カラオケ装置専用のリモコン送信器のように他人が利用し終わるのを待つ必要がないため、楽曲の演奏予約をする機会も増えるし、なによりも心情的に気軽に演奏予約がし易くなる。すると予約楽曲数も多くなるし、どのような順番で誰が予約したかがわかりづらいので、各人はいつ自分の歌う順番がくるのかを把握しづらい。そのため、せっかく予約した楽曲のカラオケ演奏が開始されても予約した本人がたまたまその場にいないことも少なくない。このような場合には、予約した本人が歌いたかった曲を歌う機会を逃すだけでなく、その場にいる人にとっても無益な時間を過ごすことになる。
【０００４】
そこで本発明は、楽曲演奏の直前に、演奏予約に使用したパーソナル携帯情報端末が付近に存在することを確認することによって予約者がその場にいることを確認してから演奏を開始するカラオケ装置を提供することを目的としている。
【０００５】
【課題を解決するための手段】
この発明に係るカラオケ装置は、基本的に、つぎの事項（１）〜（７）により特定されるものである。
（１）近距離無線通信手段と、制御手段とを備え、リクエスト信号を待ち行列に登録して演奏順番を管理するカラオケ装置である。
（２）近距離無線通信手段は、当該カラオケ装置の利用場所を対象とするサービスエリアにおいて、パーソナル携帯情報端末と双方向データ通信を可能とする。
（３）制御手段は、予約受付処理と、第１〜第３処理からなる不在処理を可能とする。
（４）予約受付処理は、パーソナル携帯情報端末より楽曲識別子と端末識別子を含むリクエスト信号を受信して待ち行列に登録する。
（５）第１処理は、待ち行列におけるリクエスト信号の登録順位と、演奏進行状態とに基づいて、リクエスト信号の確認時期を検出する。
（６）第２処理は、確認時期となったリクエスト信号の端末識別子を持つパーソナル携帯情報端末に対して通信の確立を試行する。
（７）第３処理は、第２処理で通信の確立ができなかった場合、待ち行列におけるリクエスト信号の登録順位を繰り下げる。
【０００６】
この発明は、上記の事項を基本とし、これに以下の事項（ａ）〜（ｃ）を加えて実施することができる。
（ａ）制御手段は、不在計数処理と、登録抹消処理とを可能とする。
（ｂ）不在計数処理は、不在処理において通信の確立できなかった不在回数をリクエスト信号毎に計数する。
（ｃ）登録抹消処理は、規定の不在回数に達したリクエスト信号を待ち行列から削除する。
【０００７】
この発明において、第３処理は、登録順位繰り下げの予告表示を行い、登録順位繰り下げの取消を受け付け可能としたり、登録抹消処理は、登録抹消の予告表示を行い、登録抹消の取消を受け付け可能とすることができる。
【０００８】
この発明において、待ち行列におけるリクエスト信号の登録順位と、演奏進行状態とに基づいてリクエスト信号の予告時期を検出し、予告時期となったリクエスト信号の端末識別子を持つパーソナル携帯情報端末に対して通信の確立を試行させ、通信の確立ができた場合、演奏時期が近づいたことを通知するメッセージを当該パーソナル携帯情報端末に送信する予告処理を行うように構成することができる。
【０００９】
この発明において、以下の事項（ｄ）〜（ｆ）を適用し、予告処理として電子メールを採用することができる。
（ｄ）インターネットに電子メールを送信する電子メール送信手段を備える。
（ｅ）端末識別子は、該当のパーソナル携帯情報端末の電子メールアドレスを含み、
制御手段は、第４処理、第５処理からなる予告処理を可能とする。
（ｆ）予告処理は、待ち行列におけるリクエスト信号の登録順位と、演奏進行状態とに基づいてリクエスト信号の予告時期を検出し、予告時期となったリクエスト信号の端末識別子を持つパーソナル携帯情報端末に対し、演奏時期が近づいたことを通知する電子メールを作成・送信する。
【００１１】
【発明の実施の形態】
＝＝＝カラオケ装置の基本機能＝＝＝
図１はこの発明の実施例におけるカラオケ装置の構成例を示している。内部にＣＰＵ・ＲＡＭ・ＲＯＭを含む中央制御部１が制御バスを介して各周辺構成部を制御・統括している。
【００１２】
ハードディスク装置２にはカラオケ楽曲の伴奏音楽データや歌詞データを含むカラオケデータが多数曲分蓄積されている。中央制御部１は操作制御部３を介して演奏予約のリクエストを受け取るとその楽曲の楽曲ＩＤをメモリ上などに記憶された演奏予約の待ち行列に登録し、待ち行列に登録されている各楽曲ＩＤに対応するカラオケデータをリクエスト入力の順番に従って読み出して一曲ごとに処理していく。すなわち、リクエスト楽曲に対応するカラオケデータをハードディスク装置２から取り出し、含まれているカラオケ伴奏音楽データをシンセサイザ４に転送することによりカラオケ伴奏音楽を生成させる。生成されたカラオケ伴奏音楽と、マイクロホン５により採取した歌唱音声とをミキシングアンプ６にて混合しスピーカ７から音響出力する。ディスプレイ８には、映像制御部９を介して入力された背景映像とともに、歌唱すべき箇所の色変えをともなった歌詞画像が表示される。
【００１３】
このカラオケ装置にはまた、本発明に特徴的な構成要素であるブルートゥース・インタフェース１０を備える。これはＲＦ回路およびベースバンド回路を備えて構成される。ブルートゥース・インタフェース１０のＲＦ回路に接続する送受信アンテナ１１は、カラオケ店のカラオケルーム内に設置される。これにより、送受信アンテナ１１の周囲にブルートゥース・インタフェース１０と通信リンクの確立が可能な所定範囲のサービスエリアが形成されることになる。
【００１４】
＝＝＝携帯電話機の基本機能＝＝＝
本実施例においては、カラオケ装置の設置場所にブルートゥース・インタフェース搭載型の携帯電話機を持ち込んで楽曲予約などに利用する。図２は携帯電話機の内部ブロック構成である。ＤＳＰ（ディジタルシグナルプロセッサ）機能を備えたＣＰＵやＲＡＭ・ＲＯＭ・フラッシュメモリなどのメモリ２６を備えて構成されるマイコン２１が、エアーインタフェース２２や音声信号処理部２３、操作制御回路２４、ブルートゥース・インタフェース２５などの各周辺構成部を統括・制御している。
【００１５】
メモリ２６にはプログラムやデータなどが登録され、とくにフラッシュメモリには携帯電話機ごとに固有に割り当てられた端末製造番号などの端末ＩＤ、電話番号、利用者の個人情報などが記録されている。マイコン２１は携帯電話機の基本機能を提供するプログラムを実行するほか、キー操作部２７からの操作入力や、カラオケ装置から送られてくる起動命令などに応じてメモリ２６に格納されているプログラムを適宜実行する。
【００１６】
エアーインタフェース２２は各地に設置されている携帯電話網の基地局から電波を受信してその受信電波から通話音声に相当するＰＣＭ音声データを復調したり、ＰＣＭ音声データを変調して基地局に送信したりする。音声信号処理部２３にはエアーインタフェース２２で復調されたＰＣＭ音声データをアナログの音声信号に変換して受話器２９に送出するための受信信号処理回路や、送話器２８より入力された通話音声をＰＣＭ音声データにＡ／Ｄ変換してエアーインタフェース２２に入力するための送信信号回路部、着信音などを生成してスピーカ３０に音響出力するためのトーン発生器などが含まれている。
【００１７】
ブルートゥース・インタフェース２５は、ＲＦ回路、ベースバンド回路などを備えて構成され、ＲＦ回路のＲＦ信号入出力部はアンテナ共用器３１を介して送受信アンテナ３２に接続されている。
【００１８】
＝＝＝携帯電話機による演奏予約＝＝＝
本実施例の携帯電話機にはブルートゥース・インタフェース２５の動作状態を利用者に設定させる機能が用意されている。携帯電話機をカラオケ装置のリモコン装置として機能させるためには、まずこの機能により利用者が受信待機状態（Ｓｔａｎｄｂｙ）に設定して通信リンクの確立が可能な状態にしておくことが必要である。
【００１９】
カラオケ装置のブルートゥース・インタフェース１０は、前述のサービスエリア内に所定の間隔で接続要求メッセージ（Ｉｎｑｕｉｒｙ）を送信し、サービスエリア内に受信待機状態（ｓｔａｎｄｂｙ）で待機中の携帯電話機が存在するか否かを探索している。サービスエリア内に受信待機状態（ｓｔａｎｄｂｙ）の携帯電話機が持ち込まれると、カラオケ装置と携帯電話機のブルートゥース・インタフェース（１０、２５）間でブルートゥース・プロトコルにしたがって通信リンクを確立する。
【００２０】
通信リンクが確立されるとカラオケ装置は、携帯電話機上で動作してカラオケ楽曲の演奏予約機能を提供するアプリケーションプログラム（カラオケ利用プログラム）が通信相手である携帯電話機のメモリに存在するかどうかを、ブルートゥース経由でＳＤＰ（Ｓｅｒｖｉｃｅ  Ｄｉｓｃｏｖｅｒｙ  Ｐｒｏｔｏｃｏｌ）リクエストとよばれるデータパケットにより問い合わせる。これに応答した携帯電話機は、自機のアプリケーションプログラムの登録情報を記憶管理しているＳＤＰ管理テーブルの内容をＳＤＰレスポンスに記載してカラオケ装置に返送する。カラオケ装置は受信したＳＤＰレスポンスにカラオケ利用プログラムの登録があるか否かを調査し、存在するとカラオケ利用プログラムの起動命令を記載したデータパケットを携帯電話機に送信する。これを受信した携帯電話機は直ちにカラオケ利用プログラムを起動する。
【００２１】
一方、カラオケ利用プログラムの登録が存在しない場合には、カラオケ装置は相手携帯電話機に向けてカラオケ利用プログラムのダウンロードを開始する。携帯電話機はカラオケ利用プログラムがダウンロードされると直ちにこのプログラムのインストール処理を行ったうえで起動する。
【００２２】
携帯電話機で起動されたカラオケ利用プログラムは、携帯電話機の表示部に適宜な演奏予約用の画面を表示して演奏予約操作を受け付ける。利用者がキー操作部を操作して目次本などから調べた楽曲ＩＤを入力し、所定の入力完了操作を行うと、マイコン２１は携帯電話機のメモリに記憶されている端末ＩＤと入力された楽曲ＩＤとを記載したデータパケットをブルートゥース経由でカラオケ装置に送信する。カラオケ装置は受信した端末ＩＤと楽曲ＩＤとを対応づけて演奏予約の待ち行列に登録し、その楽曲ＩＤの演奏予約を受け付けた旨を記載したデータパケットをブルートゥース経由で携帯電話機に返送する。携帯電話機では予約が受け付けられた旨のメッセージを表示部３４に表示する。このようにして、携帯電話機から予約された楽曲ＩＤを、カラオケ装置の操作パネルやリモコン送信器から予約された楽曲ＩＤと同様に取り扱うことができる。
【００２３】
＝＝＝予約者の存在確認＝＝＝
演奏予約の待ち行列を管理しているカラオケ装置では、ある楽曲Ａの演奏順番が近づくと、楽曲Ａを予約した予約者がその場に居るかどうかを確認する。たとえば楽曲Ａの一曲前に予約された楽曲の演奏が残り１分になると、楽曲Ａの楽曲ＩＤとセットで記憶されている端末ＩＤをとりだし、その端末ＩＤをもつ携帯電話機がカラオケ装置のサービスエリア内に受信待機状態（ｓｔａｎｄｂｙ）で待機しているか否かを探索する。すなわち、前述のように接続要求メッセージ（Ｉｎｑｕｉｒｙ）を送信してサービスエリア内に受信待機状態（ｓｔａｎｄｂｙ）で待機中の携帯電話機が存在するか否かを探索し、サービスエリア内にある受信待機状態（ｓｔａｎｄｂｙ）の携帯電話機とブルートゥース・インタフェース間で通信リンクを確立したら、その携帯電話機の端末ＩＤが求める端末ＩＤか否かを問い合わせる。
【００２４】
通信リンクを確立した携帯電話機の端末ＩＤが求める端末ＩＤ、すなわち楽曲Ａを予約した携帯電話機の端末ＩＤと一致した場合には、予約者がその場に居ると判断し、現在演奏中の楽曲演奏が終わると楽曲Ａの演奏開始処理を行う。
【００２５】
＝＝＝演奏順番変更＝＝＝
上記において、楽曲Ａを予約した携帯電話機がサービスエリア内に見つからなかった場合、カラオケ装置では楽曲Ａの楽曲ＩＤおよび対応づけられた端末ＩＤを演奏予約の待ち行列の先頭から最後尾に変更する。不在の人が予約した楽曲を演奏するのは無駄なので演奏を後回しにするためである。
【００２６】
ここで楽曲Ａの演奏順を後回しにする旨をカラオケ装置のディスプレイ８の画面下方などにメッセージ表示して、その場に居る人に知らせるようにしてもよい。さらに、メッセージ表示を見た人が演奏順変更を取り消せるようにしておいてもよい。たとえば図３に例示したように、後回しにする旨を表示する画面に「Ｎｏ」を選択入力可能なように表示しておき、その場に居る人が演奏順変更をやめたければカラオケ装置の操作パネルなどによってその「Ｎｏ」を選択入力すれば、元の予定どおりに楽曲Ａを演奏させることができるようにしておく。こうすればその場にいる人が予約者の代わりに歌いたくなった場合にも対応できる。
【００２７】
＝＝＝その他の実施例＝＝＝
上述の演奏順番の変更について、予約者の不在回数によって処理を変えることも可能である。すなわち、楽曲Ａの演奏順がせまった時点で予約者が不在であることが続いても、それがたとえば２回まではそのたびに楽曲Ａを演奏予約の待ち行列の最後尾に変更するが、不在３回目には待ち行列から削除する、というようにする。このためにはカラオケ装置は不在回数を数えるカウンタ（初期値０）を備えており、予約者の携帯電話の存在を確認できなかった時に１ずつ値を増やしていく。カウンタ値が所定の値、たとえば３に到達するまでは楽曲Ａの楽曲ＩＤを待ち行列の最後尾に変更する処理を行い、３に到達したら待ち行列から削除する処理を行うようにすれば簡単に実現できる。この場合にもカラオケ装置のディスプレイ８等に削除の旨を表示したり、削除を取り消す選択入力を可能にしておいたりすると利用者にとって便利である。
【００２８】
ある楽曲Ａの演奏順番がくる前の適宜な時点で、たとえば楽曲Ａより３曲前の曲の演奏が開始された時に、楽曲Ａを予約した携帯電話機に「あなたの予約曲まであと３曲です」というような事前通知のメッセージを表示することも可能である。これをブルートゥース経由で表示する場合には、カラオケ装置は事前通知をする時点がきたら前述のようにして楽曲Ａを予約した携帯電話機と通信リンクを確立し、「あなたの予約曲まであと３曲です」という内容を記載したデータパケットを送信すればよい。受信した携帯電話機は表示部３４に「あなたの予約曲まであと３曲です」というメッセージを表示する。
【００２９】
同様の事前通知をインターネット網経由の電子メールを使って行うことも可能である。この場合には、携帯電話機はカラオケ装置に演奏予約をする際に端末ＩＤとともに電子メールアドレスを通知するようにしておく必要がある。カラオケ装置は「あなたの予約曲まであと３曲です」という内容を本文に記載した電子メールを作成し、この電子メールアドレス宛に送信すればよい。こうすると、その場を離れている予約者にも事前通知が送り届けられるので、時間を見計らって演奏までに戻ってくることも可能であり大変便利である。
【００３０】
【発明の効果】
この発明にかかるカラオケ装置によれば、カラオケ装置が楽曲を演奏する直前にその楽曲を予約したパーソナル携帯情報端末が近くにあること、すなわちその楽曲を予約した人がその場にいることを確認し、不在なら演奏しないため、むなしくカラオケ演奏だけが流れるような事態を避けられ、予約者以外の人にとって無駄な時間を省くことができる。また予約者が不在でも予約楽曲が予約リストから消えずに後でまた歌う機会が回ってくるので、たまたま離席してしまった予約者にとっても便利である。事前にあとどのくらいで自分が予約した曲が演奏されるかを通知してもらえる場合には、それまでの間に買い物や飲食物の注文など、急な用事を足すことも可能になるし、ちょっとした練習や心の準備もできる。さらに、予約者が不在でもその場にいる人が代わりに歌えるようにすることも可能なので、思いがけず普段の自分と異なった傾向の歌を歌ってみる機会になることもあり、その場に居合わせるすべての人にとって娯楽性が高まる。その結果、カラオケを気軽に利用する人が増加する効果も期待できる。
【図面の簡単な説明】
【図１】この発明の一実施例にかかるカラオケ装置の構成例を示す図である。
【図２】この発明の一実施例にかかるパーソナル携帯情報端末の内部ブロック構成を示す図である。
【図３】この発明の一実施例にかかるカラオケ装置において演奏順番を変更する場合にディスプレイに表示されるメッセージを例示したものである。
【符号の説明】
１  中央制御部
２  ハードディスク装置
３  操作制御部
４  シンセサイザ
５  マイクロホン
６  ミキシングアンプ
７  スピーカ
８  ディスプレイ
９  映像制御部
１０  ブルートゥース・インタフェース
１１  送受信アンテナ
２１  マイコン
２２  エアーインタフェース
２３  音声信号処理部
２４  操作制御回路
２５  ブルートゥース・インタフェース
２６  メモリ
２７  キー操作部
２８  送話器
２９  受話器
３０  スピーカ
３１  アンテナ共用器
３２  送受信アンテナ
３３  表示制御回路
３４  表示部（液晶パネル）
【図１】
0003573422.tif 000002
【図２】
0003573422.tif 000003
【図３】
0003573422.tif 000004